(57)【要約】【課題】本発明は、展示会、イベント等に於いて来場者が着用しているバーコードデータの読み込みと同時に、バーコードが読み込まれた状況、理由、付属する説明等を瞬時に送る方法及びバーコードデータ読み取り装置並びに読み取りプログラムを提供することを目的とする。【解決手段】上記の課題を可決するために、本発明の専用のバーコードリーダ装置に識別ボタンを配置してバーコードデータを読み込むことにした。【選択図】図１
2018101381.tif 000002
【特許請求の範囲】
【請求項１】
展示会、イベント等に来場する来場者が着用しているバーコードデータを、読み取り装置で読み込む際に、複数のボタンを操作して読み込む方法。
【請求項２】
バーコードデータを読み込むと同時に、複数のボタンの操作手順を同時に読み込む方法。
【請求項３】
複数のボタンの操作手順によって、バーコードデータを読み込み、それらを同時に、その手順とともにバーコードをデータベースに記録する方法。
【請求項４】
複数のボタンの操作手順と読み込まれたバーコードのデータを紐付けする方法。
【請求項５】
バーコードデータの読み込みを、複数のボタンで制御する方法。
【請求項６】
バーコードデータの読み込みと同時に、バーコードが読み込まれた状況、理由、付属する説明等を瞬時に送る方法。
【発明の詳細な説明】
【技術分野】
【０００１】  本発明は、展示会、イベント等に於いて来場者が着用しているバーコードデータを読み込んだと同時に、識別する項目までも読み込む方法と、そのバーコードデータに対する識別する項目を紐づける装置と読み取りを行うプログラムに関する。
【背景技術】
【０００２】  従来、展示会、イベント等に於いて来場者が着用している、バーコードデータを読み込む際は専用のバーコードリーダを用いて読み込んでいる、たとえば、展示会、イベント等に於いて来場者が着用しているバーコードデータに対して識別する項目を紐づける場合は、バーコードデータと、識別する項目が印刷された用紙のバーコードデータを読み込み、のちにバーコードデータを転送し、紐付けを行っていた。また、読み込むデータは静的な情報でしかなかった。【０００３】  本発明では、動的な情報も一緒に送ることができる。動的な情報とは、どのような状況で読み込まれたかが、わかることである。たとえば、識別コードボタンの画面をタップしたかがわかり、見込みの度合いなどの動的情報がバーコードデータを読み込む際に解る読み取り方法であって、この読み取り方法は今までになかったことである。
【先行技術文献】
【特許文献】
【０００４】
【特許文献１】特願２００１−０５７９３３
【特許文献２】特願２００６−２６１６２７
【特許文献３】特願２０００−０５７１５６
【特許文献４】特開平１０−１９８７３８
【特許文献５】特開２００１−２８２９６２（Ｐ２００１−２８２９６２Ａ）
【発明の概要】
【発明が解決しようとする課題】
【０００５】  しかし、これらのバーコードデータとの紐づけ作業は、専用のバーコードリーダでバーコードデータを読み込んだ後に専用のデータ専用機でバーコードデータをコンピュータなどに転送したあとに紐付け作業を行っているため、バーコードデータ及び識別するバーコードの量が多くなるのに比例して作業量が増加していた。このため紐づけるための専用のプログラムを開発する必要があった。【０００６】  前記課題を解決するために、本発明は、バーコード読み取り装置をもちいて、バーコードデータを読み込む前に、識別するボタンを押し下しながら、また、識別するボタンを押し下した後に、バーコードデータを読み込むことで、バーコードデータに紐付けされた識別コードを紐づけされた状態でバーコードデータを読み込み、バーコードデータ読み取り装置内のローカルデータベースに蓄積。また、読み取りプログラムを提供することを目的とする。
【課題を解決するための手法】
【０００７】  上記目的を達成するために、専用のバーコードデータ読み取り装置に識別ボタンを配置してバーコードデータを読み込むことにした。
【０００８】  具体的には、本発明のバーコードデータの読み込み方法として、スマートホン等（多機能携帯電話）などに、バーコードデータ読み取り装置アプリケーションを開発し、その装置に識別ボタンを配置して、読み込むことを特徴とする。
【０００９】  この方法によれば、バーコードデータと識別するバーコードデータとを紐づけして、読み取りプログラムに送ることができる。
【００１０】  また、本発明の読み取り方法は、さらに、前記識別するコードデータを紐付けする、ボタンを複数配置することで、展示会やイベント等において、来場者の希望や要望、または、見込み度の判定等の識別が容易にできるようになる。
【００１１】  この方法によれば、バーコードデータと識別のために印刷された用紙を用いずに識別するボタンを押し下しながら、または、押し下した後に、バーコードデータを読み込むだけで、展示会やイベント等の来場者の識別が容易にできるようになることが特徴である。
【発明の効果】
【００１２】  本発明によれば、バーコードデータに、展示会やイベント等で来場者に識別コードデータを紐付けることができるため、たとえば展示会やイベント等での来場者の見込みの判定や、要望を判断することができる。
【図面の簡単な説明】
【００１３】
【図１】本発明のバーコードデータの読み取り方法の実施形態を示す図である。
【発明を実施するための形態】
【００１４】  添付の図面を参照して本発明の実施形態を説明する。以下に説明する実施形態は本発明の実施例であり、本発明は、以下の実施形態に制限されるものではない、なお、本明細書及び図面において符号が同じ構成要素は、相互に同一のものを示すものとする。
【００１５】  図１を参照して、本発明の展示会、イベント等に於いて来場者が着用しているバーコードデータの読み取り方法を説明する。図１は、バーコードデータの読み取り方法の実施形態であり、１０は展示会、イベント等に於いて来場者が着用しているバーコードデータ、１６はバーコードデータ読み込み装置、１３は識別コードボタン、１４はバーコードデータと識別コードデータを紐付けしたデータ、１８はデータベース、１６はスマートフォン（多機能携帯電話）等、１７は読取プログラムである。来場者が着用しているバーコードデータ１０は、展示会、イベント等に於いて来場者が着用している、来場者バッジにバーコードデータを記載した紙媒体である。バーコードデータ読み取り装置１６は、識別コードボタン１３を押し下しながら、または、識別コードボタン１３を押した後に展示会、イベント等に於いて来場者が着用している、来場者バッジにバーコードデータを記載した紙媒体のバーコードデータ読み取り、装置１６で、展示会、イベント等に於いて来場者が着用している、来場者バッジにバーコードデータを記載した紙媒体のバーコードデータ１０を読み込む。バーコードデータ読み取り装置１６は、展示会、イベント等に於いて来場者が着用している、来場者バッジにバーコードデータを記載した紙媒体のバーコードデータ１０を認識し、識別コードボタン１３の識別コードデータと紐付けたテキストをローカルデータベース１４に格納する。
【００１６】  次に、本発明の展示会、イベント等に於いて来場者が着用しているバーコードデータの読み取り方法における動作を説明する。展示会やイベントに来場する来場者は、バーコードデータ１０が記載された来場者バッジを着用し、展示会場内のそれぞれのブースに立ち寄る。立ち寄った際に、ブースでは一定の商談等が行われるが、ブースの出展者はこの商談後に来場者の見込みの判定や来場者の要望などをバーコードデータ読み取り装置１６を利用して、識別コードボタン１３を押し下しながら、または、識別バーコードボタンを押し下した後に、来場者が着用しているバーコードデータ１０を読み取ることで、来場者の見込みの判定や要望を示す識別コードデータを紐付けした状態で、ローカルデータベース１４に格納することができる。
【００１７】  次に、ローカルデータベース１４に格納されたテキストは、展示会終了後に送信ボタン１５を押し下すことにより、読み取りプログラムによって来場者バーコードデータベースに格納され読み取りプログラムより、利用者ごとにテキストデータとして振り分けされる。
【００１８】  この方法によれば、従来手間だった来場者が着用しているバーコードデータ１０を読み込み、印刷された識別コード等を読み込み、専用転送器を使ってデータを転送することなく、データベースに格納することができる。
【００１９】  なお、本発明は、スマートホン（多機能携帯電話）以外のたとえば、タブレット等でも実行させることができる。
【産業丈男利用可能性】
【００２０】  本発明の展示会、イベント等に於いて来場者が着用しているバーコードデータの読み込みと同時に、バーコードが読み込まれた状況、理由、付属する説明等を瞬時に送る方法及びバーコードデータ読み取り装置並びに読み取りプログラムは、来場者が着用しているバーコードデータ１０が記載されている展示会、イベントの来場者管理として適応することができる。
【符号の説明】
【００２１】１０：来場者バッジ記載のバーコードデータ
１１：カメラ
１２：バーコードデータ読み取り装置内のバーコードデータ
１３：識別コードボタン
１４：装置内のローカルデータベース
１５：装置内の送信ボタン
１６：バーコードデータ読み込み装置
１７：読み取りプログラム
１８：データベース
【図１】
2018101381.tif 000003